(57)【要約】【課題】ユーザがディスク再生装置において希望する再生位置からの再生を容易に行なうことができる、ディスク再生装置を提供する。【解決手段】ＤＶＤプレーヤでは、ディスクの再生中にマーカキーを操作されることにより、その時点で再生されていたディスクのアドレスがブックマークとして登録される。そして、ディスクが再生されていないときにマーカキーが操作されると、ブックマークとして登録されたアドレスの静止画像が、マーカ表示部２０Ｂ内のサムネイル表示部２０１〜２０６に、サムネイル画像として表示される。そして、ユーザが、マーカＮｏ．表示部２００内で当該サムネイル画像に対応するマーカＮｏ．を選択することにより、ＤＶＤプレーヤは、選択されたマーカＮｏ．に対応するアドレスから、ディスクの再生を開始する。【選択図】        図４
2004280940.tif 000002
【特許請求の範囲】
【請求項１】
ディスクに記録されたデータを再生するデータ再生部と、
所定の入力を受付ける第１の入力部と、
前記データ再生部によるデータの再生中に前記第１の入力部に入力があった場合に、表示装置に、複数のマーカを表示させるマーカ表示部と、
前記表示装置に表示される複数のマーカの中から１つのマーカを選択する情報の入力を受付ける第２の入力部と、
前記データ再生部によるデータの再生中に前記第２の入力部に入力があった場合に、前記選択されたマーカを表示させる情報と前記第１の入力部に入力があった時点での前記データ再生部におけるディスクの再生位置の情報とを関連付けて記憶する情報記憶部と、
前記データ再生部によるデータの再生が行なわれていないときに前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、
前記サムネイル生成部の生成したサムネイル画像を前記表示装置に表示させるサムネイル表示部と、
前記サムネイル画像が前記表示装置に表示されているときに前記第２の入力部に入力があった場合、前記データ再生部に、前記情報記憶部において前記選択されたマーカを表示させる情報に関連付けられている前記ディスクの再生位置から再生動作を実行させる、再生制御部とを含み、
前記データ再生部は、再生するデータの映像を前記表示装置に表示させ、
前記マーカ表示部は、前記表示装置の表示領域の一部に、前記マーカを表示させる、ディスク再生装置。
【請求項２】
ディスクに記録されたデータを再生するデータ再生部と、
所定の入力を受付ける第１の入力部と、
前記データ再生部によるデータの再生中に前記第１の入力部に入力があった場合に、表示装置に、複数のマーカを表示させるマーカ表示部と、
前記表示装置に表示される複数のマーカの中から１つのマーカを選択する情報の入力を受付ける第２の入力部と、
前記データ再生部によるデータの再生中に前記第２の入力部に入力があった場合に、前記選択されたマーカを表示させる情報と前記第１の入力部に入力があった時点での前記データ再生部におけるディスクの再生位置の情報とを関連付けて記憶する情報記憶部と、
前記データ再生部によるデータの再生が行なわれていないときに前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、
前記サムネイル生成部の生成したサムネイル画像を前記表示装置に表示させるサムネイル表示部と含む、ディスク再生装置。
【請求項３】
前記データ再生部は、再生するデータの映像を前記表示装置に表示させ、
前記マーカ表示部は、前記表示装置の表示領域の一部に、前記マーカを表示させる、請求項２に記載のディスク再生装置。
【請求項４】
前記サムネイル画像が前記表示装置に表示されているときに前記第２の入力部に入力があった場合、前記データ再生部に、前記情報記憶部において前記選択されたマーカを表示させる情報に関連付けられている前記ディスクの再生位置から再生動作を実行させる、再生制御部をさらに含む、請求項２または請求項３に記載のディスク再生装置。
【発明の詳細な説明】
【０００１】
【発明の属する技術分野】
本発明は、ディスク再生装置に関し、特に、ユーザがディスク再生装置において希望する態様でディスクを再生させるための処理を容易にするための情報を管理できるディスク再生装置に関する。
【０００２】
【従来の技術】
従来から、ディスク再生装置においてディスクに記録された情報を再生する技術があった。そして、近年、ＤＶＤ（Ｄｉｇｉｔａｌ  Ｖｅｒｓａｔｉｌｅ  Ｄｉｓｋ）ディスク等、ディスクの大容量化が進んでいる。このようなディスクの大容量化に伴い、たとえば特許文献１には、所定の時間ごとにプレビュー画面を作成し表示する技術が開示されている。
【０００３】
【特許文献１】
特開２００１−３２６９１０公報
【０００４】
【発明が解決しようとする課題】
しかしながら、上記公報に開示された技術は、ユーザがディスクの途中から再生を開始しようとする場合、所定の時間ごとに作成されたプレビュー画面から所望の再生位置に近いものを探す必要があり、今一つ、ユーザは、所望の態様でディスクを再生させる際に不便を感じていた。
【０００５】
また、上記公報に開示された技術は、ユーザによって希望される再生位置がディスクの全体に渡っていれば、つまり、ディスクの前半にも後半にもまんべんなく存在する場合には、問題無い。しかしながら、ユーザによって希望される再生位置が一部分に、たとえば、ディスクの後半部分に固まっていた場合、無駄が多いものとなってしまう。
【０００６】
本発明は、かかる実情に鑑み考え出されたものであり、その目的は、ユーザがディスク再生装置において希望する再生位置からの再生を容易に行なうことができる、ディスク再生装置を提供することである。
【０００７】
【課題を解決するための手段】
本発明のある局面に従ったディスク再生装置は、ディスクに記録されたデータを再生するデータ再生部と、所定の入力を受付ける第１の入力部と、前記データ再生部によるデータの再生中に前記第１の入力部に入力があった場合に、表示装置に、複数のマーカを表示させるマーカ表示部と、前記表示装置に表示される複数のマーカの中から１つのマーカを選択する情報の入力を受付ける第２の入力部と、前記データ再生部によるデータの再生中に前記第２の入力部に入力があった場合に、前記選択されたマーカを表示させる情報と前記第１の入力部に入力があった時点での前記データ再生部におけるディスクの再生位置の情報とを関連付けて記憶する情報記憶部と、前記データ再生部によるデータの再生が行なわれていないときに前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、前記サムネイル生成部の生成したサムネイル画像を前記表示装置に表示させるサムネイル表示部と、前記サムネイル画像が前記表示装置に表示されているときに前記第２の入力部に入力があった場合、前記データ再生部に、前記情報記憶部において前記選択されたマーカを表示させる情報に関連付けられている前記ディスクの再生位置から再生動作を実行させる、再生制御部とを含み、前記データ再生部は、再生するデータの映像を前記表示装置に表示させ、前記マーカ表示部は、前記表示装置の表示領域の一部に、前記マーカを表示させることを特徴とする。
【０００８】
本発明のある局面に従ったディスク再生装置は、ディスクに記録されたデータを再生するデータ再生部と、所定の入力を受付ける第１の入力部と、前記データ再生部によるデータの再生中に前記第１の入力部に入力があった場合に、表示装置に、複数のマーカを表示させるマーカ表示部と、前記表示装置に表示される複数のマーカの中から１つのマーカを選択する情報の入力を受付ける第２の入力部と、前記データ再生部によるデータの再生中に前記第２の入力部に入力があった場合に、前記選択されたマーカを表示させる情報と前記第１の入力部に入力があった時点での前記データ再生部におけるディスクの再生位置の情報とを関連付けて記憶する情報記憶部と、前記データ再生部によるデータの再生が行なわれていないときに前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、前記サムネイル生成部の生成したサムネイル画像を前記表示装置に表示させるサムネイル表示部と含むことを特徴とする。
【０００９】
また、本発明の他の局面に従ったディスク再生装置では、前記データ再生部は、再生するデータの映像を前記表示装置に表示させ、前記マーカ表示部は、前記表示装置の表示領域の一部に、前記マーカを表示させることが好ましい。
【００１０】
また、本発明の他の局面に従ったディスク再生装置は、前記サムネイル画像が前記表示装置に表示されているときに前記第２の入力部に入力があった場合、前記データ再生部に、前記情報記憶部において前記選択されたマーカを表示させる情報に関連付けられている前記ディスクの再生位置から再生動作を実行させる、再生制御部をさらに含むことが好ましい。
【００１１】
【発明の実施の形態】
以下、本発明の一実施の形態であるマーカ設定システムを含むディスク再生装置について説明する。図１は、本実施の形態のディスク再生装置の一例であるＤＶＤプレーヤ（光ディスク再生装置）の構成を説明するブロック図である。
【００１２】
ＤＶＤプレーヤ１は、ＭＰＵ（Ｍｉｃｒｏ  Ｐｒｏｃｅｓｓｉｎｇ  Ｕｎｉｔ）部２、ＭＰＥＧ（Ｍｏｖｉｎｇ  Ｐｉｃｔｕｒｅ  Ｅｘｐｅｒｔｓ  Ｇｒｏｕｐ）デコーダ部（ビデオデコーダ部）３、オーディオデータのＤ／Ａ（Ｄｉｇｉｔａｌ／Ａｎａｌｏｇ）変換部４、ＤＶＤディスク１０から情報読取りを行なうディスクドライブ部５、システムプロセサ部６、ワークメモリ部７、副映像デコーダ（ＳＰ（Ｓｕｂ  Ｐｉｃｔｕｒｅ）デコーダ）部８、オーディオデコーダ部９、ビデオメモリ部１１、ユーザ操作の入力デバイスである操作キーパネル（および／またはリモートコントローラ）１２、ビデオプロセサ部１３、内部バス１４等で構成されている。このＤＶＤプレーヤ１の外部には、図示しないオーディオ増幅器（あるいはＡＶアンプ）を介して外部スピーカ１７が接続され、また図示しないビデオＩ／Ｆ（ＩｎｔｅｒＦａｃｅ）を介してＴＶ（ＴｅｌｅＶｉｓｉｏｎ）モニタ（あるいは図示しないビデオプロジェクタ）２０が接続される。
【００１３】
ＭＰＵ２内には、ユーザインターフェイス作成部２Ａ、メニュー判定部２Ｂ、ＯＳＤ（Ｏｎ  Ｓｃｒｅｅｎ  Ｄｉｓｐｌａｙ）処理部２Ｌ、プレビュー処理部２Ｎ等がファームウエアとして組み込まれ、さらにデータメモリ（ＯＳＤその他の用途のデータメモリ）２Ｃが設けられている。さらにまた、ＭＰＵ２内には、グラフィックリモコン画像記憶部２Ｈ、管理情報処理部２Ｉ、多重処理部２Ｊ、半透明処理（あるいは透かし処理）部２Ｋ等がファームウエアとして組み込まれている。
【００１４】
図示しないが、ＭＰＵ２内にはその他のファームウエア（図２，図６，図７に示す処理を担当するプログラム）が書き込まれたプログラムメモリも設けられている。また、システムプロセサ部６内には、データ切り分け部６ＡおよびメモリＩ／Ｆ部６Ｂが設けられている。
【００１５】
図１の構成におけるデータの基本的な流れは、次のようになっている。すなわち、ＭＰＵ部２がディスクドライブ部５に目的のアドレスとリード命令を送る。すると、ディスクドライブ部５は、送られたアドレスおよび命令に従って、ＤＶＤディスク１０より目的の論理セクタデータを読出し、図示しないデータ入力部を通してシステムプロセサ部６に読出したパックデータを送る。システムプロセサ部６内では、データ切り分け部６Ａが、送られてきたパックデータをパケットデータに切り分け、データの内容
（目的）に応じて、ビデオパケットデータ（ＭＰＥＧエンコードされたデータ）をビデオデコーダ部３へ転送し、オーディオパケットデータをオーディオデコーダ部９へ転送し、副映像パケットデータをＳＰデコーダ部８へ転送する。
【００１６】
ビデオプロセサ部１３は、ビデオデコーダ部３および／またはＳＰデコーダ部８から送信される映像情報を、ＴＶモニタ２０に表示させる映像データに変換してＴＶモニタ２０へ転送する。Ｄ／Ａ変換部４は、オーディオデコーダ部９から送信されるオーディオデータをアナログデータに変換して、スピーカ１７へ転送する。これにより、ＴＶモニタ２０では、ディスク１０に記録された映像が表示され、スピーカ１７では、ディスク１０に記録された音声が出力される。
【００１７】
また、ナビゲーションパックＮＶ＿ＰＣＫその他のパック（オーディオパックＡ＿ＰＣＫ、ビデオパックＶ＿ＰＣＫ、副映像パックＳＰ＿ＰＣＫ等）のヘッダ部は、ＭＰＵ部２が適宜処理するために、メモリＩ／Ｆ部６Ｂを介してワークメモリ部７へ転送され、そこに保存される。各デコーダ部に送られた各パケットデータは、パケットデータ内の再生タイムスタンプ（Ｐｒｅｓｅｎｔａｔｉｏｎ  Ｔｉｍｅ  Ｓｔａｍｐ：ＰＴＳ）の値に同期して再生処理を行なう。これにより、ＴＶモニタ２０の画面上に、たとえば英語音声＋日本語字幕付きの動画（映画）を出画させることができる。
【００１８】
ＭＰＵ２の内部では、データメモリ２Ｃの内部データを用いて、ユーザが視覚的に操作し確認するためのユーザインターフェイスを提供するオン・スクリーン・ディスプレイ（ＯＳＤ）等が生成される。この生成はユーザインターフェイス生成部２Ａというファームウエアで実行され、生成されたＯＳＤデータはビデオメモリ部１１に保存される。また、ＭＰＵ２の内部には、ディスク１０から取り出したメニューの種類（ルートメニューか、タイトルメニューか等）を判定するメニュー判定部２Ｂが、ファームウエアの形で設けられている。
【００１９】
操作キーパネル１２には、一般的なＤＶＤプレーヤの操作のためのキー（再生を指示するためのキー、再生等の動作の停止を指示するためのキー、等）に加えて、後述するマーカの設定に使用されるマーカキー１２Ａ、決定キー１２Ｂ、および、１〜０までの１０個の各数字を入力するためのテンキー１２Ｃが含まれる。
【００２０】
また、ＤＶＤプレーヤ１では、ディスクの再生中に所定の操作を行なうと、画面にマーカが表示され、そして、表示されたマーカをその時点での再生位置を関連付けることができる。なお、マーカが再生位置と関連付けられることを、「マーカの設定を行なう」と言う。そして、ＤＶＤプレーヤ１では、マーカの設定が行なわれた後、当該マーカが選択されると、当該マーカに対応する再生位置からのディスクの再生が行なわれる。そして、以下に、上記した所定の操作によるマーカの設定と、マーカの選択によるディスクの再生における、ＤＶＤプレーヤ１の動作を説明する。
【００２１】
図２は、マーカの設定の際の、ＤＶＤプレーヤ１の動作を示すフローチャートである。
【００２２】
まず、ＭＰＵ２が、操作キーパネル１２においてディスクの再生を指示する情報が入力されたと判断すると（ステップＳ１でＹＥＳ判断時：以下、ステップを省略して単にＳという）、Ｓ２で、ディスクの再生が行なわれる。ディスクの再生の際には、再生映像はＴＶモニタ２０に表示され、音声はスピーカ１７から出力される。
【００２３】
そして、ＭＰＵ２が、マーカキー１２Ａに対して操作がなされたと判断すると（Ｓ３でＹＥＳ判断時）、Ｓ４で、再生映像が表示されるＴＶモニタ２０の画面の一部に、マーカを含むマーカ表示部が表示される。ＴＶモニタ２０の画面の一部にマーカ表示部が表示された状態の一例を、図３に模式的に示す。
【００２４】
図３を参照して、マーカキー１２Ａに対して操作がなされると、ＴＶモニタ２０の画面２０Ａ内の一部分に、マーカを含むマーカ表示部２０Ｂが表示されている。なお、ＴＶモニタ２０では、画面２０Ａに、ディスク１０に記録されたデータの再生映像が表示されている。マーカ表示部２０Ｂは、その再生映像の一部に重ねられて表示される。
【００２５】
なお、図４に、マーカ表示部２０Ｂの拡大図を示す。
マーカ表示部２０Ｂには、１〜１０までのマーカ番号（以下、「マーカＮｏ．」と記載する）を表示するマーカＮｏ．表示部２００と、各マーカＮｏ．に対応（図２に示した状態では１〜６のマーカＮｏ．に対応）サムネイル表示部２０１〜２０６が表示されている。たとえば、サムネイル表示部２０１は、マーカＮｏ．１に対応し、サムネイル表示部２０６は、マーカＮｏ．６に対応している。サムネイル表示部２０１〜２０６には、後述するように対応するマーカＮｏ．にディスク１０内のアドレスが関連付けられると、当該アドレスの静止画像のサムネイル画像が表示される。なお、当該関連付けが行なわれるまでは、サムネイル表示部２０１〜２０６では、当該表示部がマーカＮｏ．に対応すること、および、当該マーカＮｏ．についてアドレスとの関連付けが行なわれていないことを示す表示がなされる。
【００２６】
再度図２を参照して、Ｓ４で、ＴＶモニタ２０に表示された再生映像にマーカ表示部２０Ｂが多重表示されると、ＭＰＵ２は、Ｓ５で、操作キーパネル１２に対して、マーカＮｏ．の選択、および、決定キー１２Ｂに対する操作、という一連の操作がなされたか否かを判断する。そのような一連の操作があったと判断すると、処理は、Ｓ６に進められる。なお、マーカＮｏ．の選択とは、たとえば１０キー１２Ｃを適宜操作されることにより行なわれても良いし、カーソル等を適宜操作されることにより行なわれても良い。
【００２７】
なお、マーカＮｏ．の選択が行なわれると、マーカＮｏ．表示部２００内の対応するマーカＮｏ．が反転表示される。図４では、マーカＮｏ．として「１」が選択された状態を示している。また、マーカＮｏ．の選択が行なわれると、対応する画像表示部（マーカＮｏ．として「１」が選択された場合にはサムネイル表示部２０１）の外枠が反転表示される。
【００２８】
Ｓ６では、ＭＰＵ２は、その時点で再生中のディスク１０のアドレスを、Ｓ５で選択されているマーカＮｏ．に関連付けて、ワークメモリ部７の特定領域に記憶させ、処理をＳ７に進める。ワークメモリ部７の特定領域の記憶内容を、図５に模式的に示す。
【００２９】
図５では、各マーカＮｏ．に関連付けられて、ディスク１０のアドレスが記憶されている。なお、図５中に、「マーカ１（〜１０）の画像データのアドレス」と記載されるように、各マーカＮｏ．が画像データのアドレスと関連付けられているのは、図６を参照して後述されるように、本実施の形態では、マーカ表示部２０Ｂに、マーカＮｏ．に対応したディスク１０のアドレスの静止画像のサムネイル画像が表示されるからである。つまり、本明細書では、このサムネイル画像のデータがマーカ１〜１０の画像データとされ、ワークメモリ部７の特定領域では、マーカＮｏ．がＳ６でアドレスと関連付けられた時点での再生中のディスク１０のアドレスと同義に扱われている。
【００３０】
Ｓ７では、ＭＰＵ２は、操作キーパネル１２に対して、Ｓ５〜Ｓ６で示したような、マーカＮｏ．をディスク１０のアドレスに関連付ける処理をさらに実行させるための操作がなされたか否かを判断する。そして、そのような操作がなされたと判断するとＳ５に処理を戻し、なされていないと判断するとＳ８に処理を進める。
【００３１】
Ｓ８では、ＭＰＵ２は、画面２０Ａ内におけるマーカ表示部２０Ｂの表示を終了させ、処理をＳ３に戻す。
【００３２】
図６は、マーカの選択によるディスクの再生の際の、ＤＶＤプレーヤ１の動作を示すフローチャートである。
【００３３】
まず、ＭＰＵ２は、Ｓ１１で、ＤＶＤプレーヤ１においてディスク１０の再生がなされていない状態で、マーカキー１２Ａに対して操作がなされたか否かを判断し、操作があったと判断すると、Ｓ１２に処理を進める。
【００３４】
Ｓ１２では、ＭＰＵ２は、ＴＶモニタ２０に、の画面にマーカ表示部２０Ｂを表示させる。なお、Ｓ１２では、マーカ表示部２０Ｂ内に、サムネイル表示部２０１〜２０６の枠も、表示される。
【００３５】
次に、ＭＰＵ２は、Ｓ１３で、マーカＮｏ．表示部２００内でまだＳ１４以降の処理の対象とされていない中で最も小さいマーカＮｏ．について、ワークメモリ部７の特定領域内の図５に示した記憶内容を参照することにより、当該マーカＮｏ．に対応するアドレスを読出す。
【００３６】
そして、Ｓ１４で、ＭＰＵ２は、ディスク１０における当該アドレスに対応する箇所の再生を行なう。
【００３７】
そして、Ｓ１５で、ＭＰＵ２は、当該アドレスに対応する箇所の静止画像の画像データを取出し、縮小画像（サムネイル画像）に変換する。
【００３８】
そして、Ｓ１６で、ＭＰＵ２は、Ｓ１５における変換により作成されたサムネイル画像を、対応するサムネイル表示部の枠内に表示させる。
【００３９】
そして、Ｓ１７で、ＭＰＵ２は、マーカ表示部２０Ｂ内に枠が表示されているサムネイル表示部であって、対応するマーカＮｏ．にアドレスが関連付けられている、すべてのサムネイル表示部にサムネイル画像を表示させたか否かを判断し、表示させたと判断すればＳ１８に処理を進め、まだサムネイル画像を表示させていないものがあると判断するとＳ１３に処理を戻す。
【００４０】
Ｓ１８で、ＭＰＵ２は、操作キーパネル１２に対して、マーカＮｏ．表示部２００の中のマーカＮｏ．を選択する操作がなされたか否かを判断し、そのような操作がなされたと判断すると、Ｓ１９で、指定されたマーカＮｏ．に対応するアドレスから、ディスク１０の再生を開始する処理を行なって、処理を終了させる。
【００４１】
以上、図５および図６を参照して説明した処理により、本実施の形態のＤＶＤプレーヤ１では、ディスク１０の再生中にマーカキー１２Ａを操作されることにより、その時点で再生されていたディスク１０のアドレスがブックマークとして登録される。そして、ディスク１０が再生されていないときにマーカキー１２Ａが操作されると、ブックマークとして登録されたアドレスの静止画像が、マーカ表示部２０Ｂ内のサムネイル表示部２０１〜２０６に、サムネイル画像として表示される。そして、ユーザが、マーカＮｏ．表示部２００内で当該サムネイル画像に対応するマーカＮｏ．を選択することにより、ＤＶＤプレーヤ１は、選択されたマーカＮｏ．に対応するアドレスから、ディスク１０の再生を開始する。
【００４２】
なお、ＤＶＤプレーヤ１では、ブックマークとして図２に示した要領で登録されたアドレスについて、対応するアドレスの静止画像を、スライドショーとして順に表示させても良い。このような変形例について、以下、説明する。
【００４３】
このような変形例におけるスライドショーを実行するための動作のフローチャートを図７に示す。
【００４４】
このような変形例では、まず、ＭＰＵ２は、ＳＡ１で、ＤＶＤプレーヤ１においてディスク１０の再生がなされていない状態で、マーカキー１２Ａに対して操作がなされたか否かを判断し、操作があったと判断すると、ＳＡ２に処理を進める。
【００４５】
ＳＡ２では、ＭＰＵ２は、ＴＶモニタ２０の画面（画面２０Ａ）に、図３に示すようにマーカ表示部２０Ｂを表示させる。なお、この変形例で表示されるマーカ表示部２０Ｂには、図８に示すように、マーカＮｏ．表示部２００内にスライドショーボタン２１０が追加されて表示されている。
【００４６】
次に、ＭＰＵ２は、ＳＡ３で、操作キーパネル１２に対してスライドショーボタン２１０を選択するための操作がなされたか否かを判断し、そのような操作がなされたと判断すると、ＳＡ４以降に処理を進める。
【００４７】
次に、ＭＰＵ２は、ＳＡ４で、最も小さいマーカＮｏ．について、ワークメモリ部７の特定領域内の図５に示した記憶内容を参照することにより、当該マーカＮｏ．に対応するアドレスを読出す。
【００４８】
そして、ＳＡ５で、ＭＰＵ２は、ディスク１０における当該アドレスに対応する箇所の再生を行なう。
【００４９】
そして、ＳＡ６で、ＭＰＵ２は、当該アドレスに対応する箇所の静止画像の画像データを取出し、縮小画像（サムネイル画像）に変換し、画面２０Ａに表示させる。
【００５０】
そして、ＳＡ７で、ＭＰＵ２は、図５に示した記憶内容から、現在画面２０Ａに表示させているサムネイル画像が対応するマーカＮｏ．の次のマーカＮｏ．に対応するアドレスを読出す。
【００５１】
そして、ＳＡ８で、ＭＰＵ２は、直前のＳＡ７において読出したアドレスに対応する箇所の再生を行なう。
【００５２】
そして、ＳＡ９で、ＭＰＵ２は、直前のＳＡ８で再生した箇所の静止画像の画像データを取出し、縮小画像（サムネイル画像）に変換し、当該サムネイル画像を、画面２０Ａに、その時点で表示されていたサムネイル画像に置換えて表示させる。
【００５３】
そして、ＳＡ１０で、ＭＰＵ２は、図５にアドレスを関連付けられているすべてのマーカＮｏ．について、サムネイル画像を表示させたか否かを判断し、表示させたと判断すればＳＡ１１に処理を進め、まだサムネイル画像を表示させていないマーカＮｏ．があると判断するとＳＡ７に処理を戻す。
【００５４】
ＳＡ１１では、画面２０Ｂの表示態様を、図３に示すような、スライドショーが行なわれる前の状態に戻す処理を行ない、スライドショーを終了させる。
【００５５】
なお、以上説明したスライドショーでは、各サムネイル画像は、たとえば、画面２０Ａ全体に表示される。ただし、スライドショーにおけるサムネイル画像の表示態様はこれに限定されず、適宜、変更されてもよい。
【００５６】
以上説明した本実施の形態では、ＤＶＤプレーヤ１は、外部のＴＶモニタ２０およびスピーカ１７に接続され、それらで、ディスク１０の再生映像および音声を出力していたが、本発明のディスク再生装置はこれに限定されず、ＴＶモニタやスピーカを含むものであってもよい。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５８】
【発明の効果】
本発明によると、ユーザが第１の入力部を操作すると、表示装置に複数のマーカが表示され、そのままユーザが１つのマーカを選択し、そして、第２の入力部を操作すると、その時点でのディスクの再生位置が選択されたマーカと関連付けられる。また、そのマーカに関連付けられた再生位置の静止画像が、サムネイル画像として表示装置に表示される。これにより、ユーザは、所望のタイミングで、希望する再生位置を登録することができる。さらに、ユーザは、当該再生位置がどのような位置であったかを、サムネイル画像を見ることにより容易に理解できる。
【００５９】
また、本発明によると、マーカが、ディスクに記憶された画像が再生される表示装置と同じ表示装置の一部に表示されるため、ユーザは、再生位置を登録するためにわざわざ別の表示装置を見る必要がなくなる。
【００６０】
また、本発明によると、マーカの設定が行なわれた後、ユーザは、当該マーカを選択するという容易な操作を行なうことにより、当該マーカに関連付けられた再生位置からディスクの再生を開始させることができる。
【図面の簡単な説明】
【図１】本発明に従ったディスク再生装置の一例であるＤＶＤプレーヤの構成を説明するブロック図である。
【図２】図１のＤＶＤプレーヤにおける、マーカの設定の際の動作を示すフローチャートである。
【図３】図１のＤＶＤプレーヤが接続されるＴＶモニタの画面の一部にマーカ表示部が表示された状態の一例を示す図である。
【図４】図３のマーカ表示部の拡大図である。
【図５】図１のＤＶＤプレーヤのワークメモリ部の特定領域の記憶内容を模式的に示す図である。
【図６】図１のＤＶＤプレーヤにおける、マーカの選択によるディスクの再生の際の動作を示すフローチャートである。
【図７】図１のＤＶＤプレーヤの変形例において実行されるスライドショーでの動作を示すフローチャートである。
【図８】図７に示したスライドショーが行なわれる際に表示されるマーカ表示部の一例を示す図である。
【符号の説明】
１  ＤＶＤプレーヤ、２  ＭＰＵ部、３  ＭＰＥＧデコーダ部、４  Ｄ／Ａ変換部、５  ディスクドライブ部、６  システムプロセサ部、７  ワークメモリ部、８  ＳＰデコーダ部、９  オーディオデコーダ部、１０  ＤＶＤディスク、１１  ビデオメモリ部、１２  操作キーパネル、１３  ビデオプロセサ部、１４  内部バス、１７  外部スピーカ、２０  ＴＶモニタ、２０Ａ  画面、２０Ｂ  マーカ表示部、２００  マーカＮｏ．表示部、２０１〜２０６  サムネイル表示部、２１０  スライドショーボタン。
【図１】
2004280940.tif 000003
【図２】
2004280940.tif 000004
【図３】
2004280940.tif 000005
【図４】
2004280940.tif 000006
【図５】
2004280940.tif 000007
【図６】
2004280940.tif 000008
【図７】
2004280940.tif 000009
【図８】
2004280940.tif 000010